(57)【要約】【課題】三次元形状のメディアの表面に画像の印刷を行う場合に、印刷画像の見かけ上の歪みを低減することが可能な画像形状変形装置を提供する。【解決手段】本発明の一実施形態に係る画像形状変形装置１０は、三次元形状のメディアの表面に印刷バンドごとに印刷を行う三次元プリンタのための画像の形状を変形する画像形状変形装置であって、印刷バンドにおける基準印刷バンドに対する相対曲率を印刷バンドごとに求める相対曲率生成手段１１と、相対曲率に応じて画像を印刷バンドごとに拡大又は縮小する画像拡大縮小手段１２と、を備える。【選択図】図４
2010152879.tif 000002
【特許請求の範囲】
【請求項１】
三次元形状のメディアの表面に印刷バンドごとに印刷を行う三次元プリンタのための画像の形状を変形する画像形状変形装置であって、
前記印刷バンドにおける基準印刷バンドに対する相対曲率を前記印刷バンドごとに求める相対曲率生成手段と、
前記相対曲率に応じて前記画像を前記印刷バンドごとに拡大又は縮小する画像拡大縮小手段と、
を備える、
画像形状変形装置。
【請求項２】
前記相対曲率生成手段は、前記基準印刷バンドに対応する前記メディアの基準周長であって、当該基準周長に対する前記メディアの周長を表す前記相対曲率を、前記印刷バンドごとに求める、
請求項１に記載の画像形状変形装置。
【請求項３】
前記画像拡大縮小手段は、前記相対曲率が小さいほど前記画像を拡大する、
請求項２に記載の画像形状変形装置。
【請求項４】
前記画像拡大縮小手段は、前記相対曲率が大きいほど前記画像を縮小する、
請求項２に記載の画像形状変形装置。
【請求項５】
三次元形状のメディアの表面に印刷バンドごとに印刷を行う三次元プリンタのための画像の形状を変形する画像形状変形方法であって、
前記印刷バンドにおける基準印刷バンドに対する相対曲率を前記印刷バンドごとに求め、
前記相対曲率に応じて前記画像を前記印刷バンドごとに拡大又は縮小する、
画像形状変形方法。
【請求項６】
三次元形状のメディアの表面に印刷バンドごとに印刷を行う三次元プリンタのための画像の形状を変形する画像形状変形プログラムであって、
コンピュータを、
前記印刷バンドにおける基準印刷バンドに対する相対曲率を前記印刷バンドごとに求める相対曲率生成手段と、
前記相対曲率に応じて前記画像を前記印刷バンドごとに拡大又は縮小する画像拡大縮小手段と、
として機能させる、
画像形状変形プログラム。
【発明の詳細な説明】
【技術分野】
【０００１】
本発明は、三次元形状のメディアの表面に印刷を行う三次元プリンタのための画像の形状を変形する画像形状変形装置、画像形状変形方法、及び、画像形状変形プログラムに関するものである。
【背景技術】
【０００２】
三次元形状のメディアの表面に画像の印刷を行う三次元プリンタが知られている。特許文献１には、この種の三次元プリンタが記載されている。この三次元プリンタは、ＸＹＺ直交座標系におけるＸ軸（Ｂ軸）に対してメディアを自転させるように回転させて、メディアの表面に画像の印刷を行う。
【０００３】
特許文献１には、メディアの球面プリント面にプリントされる画像が、見かけ上、その球面プリント面の周囲方向（Ｙ方向）に向けて、次第に縮んだ状態に歪んでしまう問題点が記載されている。この問題点に関し、特許文献１には、三次元プリンタを制御するホストコンピュータによって、インクジェットヘッドから噴射させてその直下の球面プリント面に着弾させて形成する画像プリント用のＹ方向に並ぶインクのドットの間に、空白箇所を加入して、その球面プリント面にプリントされる画像の歪みを補正することが記載されている。
【先行技術文献】
【特許文献】
【０００４】
【特許文献１】特開２００７−８１１０号広報
【発明の概要】
【発明が解決しようとする課題】
【０００５】
しかしながら、三次元形状のメディアの表面に、例えば、球面や半球面に、平面に印刷するための画像をそのまま印刷すると、印刷後の画像は、見かけ上、Ｘ方向に向けても歪んでしまう。例えば、球面の赤道上方に視点をおいた場合、赤道に沿う下辺が長く、球面の頂上に向けて次第に縮んだ状態に歪んでしまう。
【０００６】
そこで、本発明は、三次元形状のメディアの表面に画像の印刷を行う場合に、印刷画像の見かけ上の歪みを低減することが可能な画像形状変形装置、画像形状変形方法、及び、画像形状変形プログラムを提供することを目的としている。
【課題を解決するための手段】
【０００７】
本発明の一側面に係る画像形状変形装置は、三次元形状のメディアの表面に印刷バンドごとに印刷を行う三次元プリンタのための画像の形状を変形する画像形状変形装置であって、印刷バンドにおける基準印刷バンドに対する相対曲率を印刷バンドごとに求める相対曲率生成手段と、相対曲率に応じて画像を印刷バンドごとに拡大又は縮小する画像拡大縮小手段と、を備える。
【０００８】
また、本発明の別の一側面に係る画像形状変形方法は、三次元形状のメディアの表面に印刷バンドごとに印刷を行う三次元プリンタのための画像の形状を変形する画像形状変形方法であって、印刷バンドにおける基準印刷バンドに対する相対曲率を印刷バンドごとに求め、相対曲率に応じて画像を印刷バンドごとに拡大又は縮小する。
【０００９】
また、本発明の更に別の一側面に係る画像形状変形プログラムは、三次元形状のメディアの表面に印刷バンドごとに印刷を行う三次元プリンタのための画像の形状を変形する画像形状変形プログラムであって、コンピュータを、印刷バンドにおける基準印刷バンドに対する相対曲率を印刷バンドごとに求める相対曲率生成手段と、相対曲率に応じて画像を印刷バンドごとに拡大又は縮小する画像拡大縮小手段と、として機能させる。
【００１０】
本発明によれば、メディアの相対曲率に応じて画像を印刷バンドごとに拡大又は縮小するので、この画像を三次元形状のメディアの表面に印刷した場合に、特定の視点に応じた印刷画像の見かけ上の歪みを低減することができる。
【００１１】
上記した相対曲率生成手段は、基準印刷バンドに対応するメディアの基準周長であって、当該基準周長に対するメディアの周長を表す相対曲率を、印刷バンドごとに求めることが好ましい。この場合、上記した画像拡大縮小手段は、相対曲率が小さいほど前記画像を拡大することが好ましく、相対曲率が大きいほど前記画像を縮小することが好ましい。
【発明の効果】
【００１２】
本発明によれば、三次元形状のメディアの表面に画像の印刷を行う場合に、特定の視点に応じた印刷画像の見かけ上の歪みを低減することができる。
【図面の簡単な説明】
【００１３】
【図１】本実施形態に係る三次元プリンタとプリンタ制御装置との構成を示す図である。
【図２】図１に示す三次元プリンタの主要部の構成を示す図である。
【図３】図１に示すプリンタ制御装置の電気的な構成を示す図である。
【図４】本発明の実施形態に係る画像形状変形装置の電気的な構成を示す図である。
【図５】相対曲率の求め方の概念図である。
【図６】印刷バンドごとの相対曲率を示す図である。
【図７】図４に示す画像形状変形装置による画像形状の変形の概念図である。
【図８】座標データ及びヘッドデータを示す図である。
【図９】三次元座標生成部の機能の概念図である。
【図１０】本発明の実施形態に係る画像形状変形方法のフローチャートである。
【図１１】従来の画像展開手法の概念図である。
【図１２】従来の印刷結果を示す図である。
【図１３】本発明の印刷結果を示す図である。
【図１４】楕円体形状のメディアの相対曲率の求め方の概念図である。
【発明を実施するための形態】
【００１４】
以下、図面を参照して本発明の好適な実施形態について詳細に説明する。なお、各図面において同一又は相当の部分に対しては同一の符号を附すこととする。
【００１５】
図１は、本実施形態に係る三次元プリンタとプリンタ制御装置との構成を示す図である。本発明の実施形態に係る画像形状変形装置は、三次元プリンタ２００を制御するためのプリンタ制御装置１００に搭載される。
【００１６】
プリンタ制御装置１００には、例えば、パーソナルコンピュータ（ＰＣ）が用いられる。プリンタ制御装置１００は、三次元プリンタ２００と、例えばイーサネット（１０ｂａｓｅＴ）方式によって、コマンド及びステータスを用いた双方向通信を行う。具体的には、プリンタ制御装置１００は、三次元プリンタ２００のステータスを取得するためのコマンドを三次元プリンタ２００へ送信する。三次元プリンタ２００は、プリンタ制御装置１００からコマンドを受信すると、現在の状態、例えば印刷可能か否かのステータスをプリンタ制御装置１００へ返信する。
【００１７】
プリンタ制御装置１００は、三次元プリンタ２００からのステータスを確認し、印刷可能である場合には、画像の印刷を行うための座標データ及びヘッドデータを順次に三次元プリンタ２００へ送信する。三次元プリンタ２００は、これらの座標データ及びヘッドデータを順次にメモリに保存する。
【００１８】
その後、プリンタ制御装置１００が印刷を実行するためのコマンドを送信すると、三次元プリンタ２００がこのコマンドを受信し、座標データ及びヘッドデータに基づいて印刷を実行する。
【００１９】
図２は、三次元プリンタ２００の主要部の構成を示す図である。図２に示す三次元プリンタ２００は、三次元形状、例えば球状のメディア３００の表面に画像の印刷を行うためのプリンタである。三次元プリンタ２００は、メディア３００の表面にインクを吐き出すヘッド２１０と、メディア３００及びヘッド２１０を支持する支持部２２０を備える。
【００２０】
支持部２２０は、メディア３００をＸ軸方向に移動させるＸ軸方向移動部２２１と、メディア３００をＺ軸方向に移動させるＺ軸方向移動部２２３と、メディア３００をＸ軸（Ｂ軸）に対して自転させるように回転させるＢ軸回転部２２４と、メディア３００をＹ軸（Ａ軸）に対して公転させるように回転させるＡ軸回転部２２５と、ヘッド２１０をＹ軸方向に移動させるＹ軸方向移動部２２２とを備える。
【００２１】
この支持部２２０は、プリンタ制御装置１００から受ける座標データに基づいて、メディア３００及びヘッド２１０の位置を定めると共に、メディア３００をＡ軸に対して次第に回転させることによって印刷対象の印刷バンドを定める。また、支持部２２０は、メディア３００をＢ軸に対して回転させることによって、ヘッド幅に対応する印刷バンドの印刷を可能とする。
【００２２】
また、ヘッド２１０は、座標データにおける印刷パラメータ、及び、プリンタ制御装置１００から受けるヘッドデータに基づいて、複数のノズルごとにインクを吐出し及びインク量を調整する。
【００２３】
図３は、プリンタ制御装置１００の構成を示す図である。図３に示すプリンタ制御装置１００は、画像形状変形部（本発明の実施形態に係る画像形状変形装置）１０と、ＲＩＰ（Raster Image Processor）部２０と、三次元座標生成部３０と、ヘッドデータ生成部４０と、データ転送・印刷制御部５０とを備える。
【００２４】
画像形状変形部１０は、メディア３００の形状を示すメディア形状情報と、印刷を行う画像データとを受けて、メディア３００の形状に応じて画像データを変更する。画像形状変形部１０は、図４に示すように、相対曲率生成部１１と画像拡大縮小部１２とを有する。
【００２５】
相対曲率生成部１１は、印刷バンドにおける基準印刷バンドに対する相対曲率を印刷バンドごとに求める。具体的には、相対曲率生成部１１は、印刷バンドにおける基準印刷バンドに対応するメディア３００の基準周長であって、当該基準周長に対するメディア３００の周長を表す相対曲率を、印刷バンドごとに求める。
【００２６】
例えば、相対曲率生成部１１は、印刷バンドごとに周長を求める。相対曲率生成部１１は、印刷バンドにおける１つを基準印刷バンドとし、この基準印刷バンドの周長を基準周長とする。例えば、図５に示すように、球状のメディア３００では、Ｂ軸に対して最も赤道側の印刷バンドを基準印刷バンドＢ０とすると、基準印刷バンドＢ０の基準周長ＢＬ０とその他の印刷バンドＢの周長ＢＬとは、下記式によって求められる。
ＢＬ０＝２πＲ０
ＢＬ＝２πＲ＝２πＲ０ｃｏｓθ
Ｒ０：基準印刷バンドＢ０のＢ軸回転半径、すなわちメディア３００の赤道半径
Ｒ：その他の印刷バンドＢのＢ軸回転半径
θ：基準印刷バンドＢ０に対するその他の印刷バンドＢの中心角
【００２７】
そして、相対曲率生成部１１は、基準周長ＢＬ０に対する周長ＢＬを表す相対曲率ＲＣを、下記式によって、印刷バンドごとに求める。
ＲＣ＝ＢＬ／ＢＬ０＝ｃｏｓθ
相対曲率生成部１１は、図６に示すような印刷バンドごとに求めた相対曲率ＲＣを画像拡大縮小部１２へ供給する。
【００２８】
画像拡大縮小部１２は、相対曲率ＲＣに応じて、画像を印刷バンドごとに拡大又は縮小する。具体的には、画像拡大縮小部１２は、下記式によって画像の拡大縮小率ＥＲを印刷バンドごとに求める。
ＥＲ＝（１／ＲＣ）
そして、画像拡大縮小部１２は、求めた拡大縮小率に応じて、画像を印刷バンドごとに拡大又は縮小する。
【００２９】
これによって、画像拡大縮小部１２は、図７（ａ）に示す矩形画像を図７（ｂ）に示すように、相対曲率が小さいほど画像を拡大し、相対曲率が大きいほど画像を縮小することとなる。特に、球状のメディア３００では、画像拡大縮小部１２は、メディア３００のＢ軸に対する赤道から頂点へ向けて次第に画像を拡大することとなる。
【００３０】
図３に戻り、ＲＩＰ部２０は、画像形状変形部１０からの画像データを受けて、ＰＣ用画像データからプリンタ用画像データに変換する。例えば、ＲＩＰ部２０は、画像形状変形部１０からの画像データから、画像サイズといった画像情報及びラスターデータを生成する。ＲＩＰ部２０は、画像情報を三次元座標生成部３０へ供給すると共に、ラスターデータをヘッドデータ生成部４０へ供給する。
【００３１】
三次元座標生成部３０は、ＲＩＰ部２０からのＲＩＰ済み画像データとメディア形状情報とを受け、三次元プリンタ２００が印刷を行うための座標データを生成する。
【００３２】
ヘッドデータ生成部４０は、ＲＩＰ部２０からのラスターデータと三次元座標生成部３０からの座標データとを受けて、座標データに１対１に対応するヘッドデータであって、三次元プリンタ２００が印刷を行うためのヘッドデータを生成する。
【００３３】
図８に、これらの座標データ及びヘッドデータの一例を示す。図８では、３グループ（列）×１０６個＝３１８個のノズルを有するヘッド２１０を用いて印刷を行う場合について例示する。座標データ及びヘッドデータは、メディア３００における各印刷バンドＢの各印刷セルＣに対して、１対１に対応して複数生成される。なお、印刷バンドの幅及び印刷セルの大きさは、ヘッドの大きさ、すなわちノズルの個数及び間隔によって定まる。
【００３４】
座標データは、例えば、ヘッド２１０における左下のノズルの位置をヘッドの基準点とし、この基準点の座標値を有する。具体的には、座標データは、三次元プリンタ２００におけるメディア３００及びヘッド２１０を支持する支持部２２０を制御するための複数の座標値を有する。すなわち、座標データは、Ｘ軸方向移動部２２１を制御するためのＸ軸座標値と、Ｙ軸方向移動部２２２を制御するためのＹ軸座標値と、Ｚ軸方向移動部２２３を制御するためのＺ軸座標値と、Ｂ軸回転部２２４を制御するためのＢ軸座標値と、Ａ軸回転部２２５を制御するためのＡ軸座標値とを有する。
【００３５】
本実施形態では、Ｃ軸座標制御、Ｄ軸座標制御及びＥ軸座標制御を行わない形態を例示したが、これらの制御を行う場合には、座標データは、Ｃ軸座標値、Ｄ軸座標値及びＥ軸座標値を有することとなる。
【００３６】
また、座標データには、インク色（例えば、ブラック、シアン、マゼンダ、イエロー）に対応するヘッド番号や、ＵＶ硬化パラメータが付加される。
【００３７】
これらの座標値、ヘッド番号及びＵＶ硬化パラメータは、対応付けされた格納位置に従って、メモリに格納されている。
【００３８】
一方、ヘッドデータは、ラスターデータを三次元プリンタ向けに１ヘッド１吐出単位にまとめたものであり、座標データと１対１に対応付けられている。ヘッドデータは、インクを吐き出すノズルごとに階調値を定める。また、ヘッドデータは、ノズルグループ間（列間）の吐出遅延パラメータを定める。
【００３９】
これらのノズルの階調値及びノズルグループ間の吐出遅延パラメータは、対応付けされた格納位置に従って、メモリに格納されている。
【００４０】
なお、印刷範囲外、すなわち空送り範囲における印刷セルＣａでは、ヘッドデータにおけるノズルの階調ではなく、座標データにおけるヘッド番号を指定しないことによって対応する。これらの座標データ及びヘッドデータは、データ転送・印刷制御部５０へ供給される。
【００４１】
ここで、三次元座標生成部３０は、印刷バンドごとの解像度をそろえるために、相対曲率及び印刷範囲（例えば、周長）に応じて、インク吐出間隔やヘッド送り距離を印刷バンドごとに調整する。
【００４２】
具体的には、三次元座標生成部３０は、相対曲率生成部１１と同様に印刷バンドごとに周長ＢＬ及び相対曲率ＲＣを求め、これらの周長ＢＬ、相対曲率ＲＣ及び所望の解像度に基づいてインク吐出座標間隔Ｓｉ（半球の場合には回転角Degree）を求める。
Ｓｉ＝３６０／（ＢＬ／Ｓｒ）×（１／ＲＣ）
Ｓｒ：解像度のドット間隔
三次元座標生成部３０は、このインク吐出座標間隔Ｓｉに基づいて上記した各座標値を設定する。
【００４３】
これによって、図９に示すように、印刷バンドごとの解像度をそろえることができる。詳説すると、図９（ａ）に示す球状のメディア３００の表面を矩形に展開した図を図９（ｂ）に示す。図９（ｂ）における破線はＢ軸に対する回転角度を示しており、その間隔は等角度である。図９（ｂ）に示すように、三次元座標生成部３０は、相対曲率ＲＣが小さいほどインク吐出座標間隔Ｓｉを大きくし、相対曲率ＲＣが大きいほどインク吐出座標間隔Ｓｉを小さくする。換言すれば、球状のメディア３００では、三次元座標生成部３０は、メディア３００の赤道側から頂点側へ向けて、インク吐出座標間隔Ｓｉを大きくする。その結果、図９（ｃ）に示すように、印刷バンド長を周長に変換すると、見かけ上、インク吐出座標間隔Ｓｉ、すなわち解像度を印刷バンドごとにそろえることができる。
【００４４】
図３に戻り、データ転送・印刷制御部５０は、三次元プリンタ２００の印刷制御を行う。例えば、データ転送・印刷制御部５０は、上記したように、三次元プリンタ２００へコマンドを送信し三次元プリンタ２００のステータスを確認する。三次元プリンタ２００のステータスが印刷可能を示すときに、データ転送・印刷制御部５０は、三次元座標生成部３０からの座標データとヘッドデータ生成部４０からのヘッドデータとを三次元プリンタ２００へ順次に出力する。その後、データ転送・印刷制御部５０が、印刷実行コマンドを送信すると、三次元プリンタ２００によってメディア３００の表面への画像の印刷が行われる。
【００４５】
次に、画像形状変形装置１０の動作を説明すると共に、本発明の実施形態に係る画像形状変形方法を説明する。図１０は、画像形状変形処理を示すフローチャートである。
【００４６】
画像形状変形装置１０は、例えば、ＣＰＵ、ＲＯＭ、ＲＡＭを含むコンピュータを主体として構成されており、図４に示した画像形状変形装置１０の各機能は、ＲＯＭやＲＡＭ上に画像形状変形プログラムを読み込ませ、この画像形状変形プログラムをＣＰＵによって実行することで実現される。すなわち、ＣＰＵによって、画像形状変形装置１０の動作が統括的に制御され、画像形状変形プログラムが実行されて、図１０のフローチャートに示す画像形状変形処理が行われる。
【００４７】
ここで、画像形状変形プログラムは、フロッピーディスク、ＣＤ−ＲＯＭ、ＤＶＤ、あるいはＲＯＭ等の記録媒体、あるいは半導体メモリに格納されて提供されるものであってもよく、また、搬送波に重畳されたコンピュータデータ信号としてネットワークを介して提供されるものであってもよい。この場合、画像形状変形装置１０は、上記の記録媒体からプログラム等のデータを読み取るための読取装置（図示略）や、ネットワークを介してプログラム等のデータを取得するための通信装置（図示略）を有する。
【００４８】
この場合、ＣＰＵが、画像形状変形装置１０の各部として機能する。画像形状変形装置１０は、プリンタ制御装置１００に実装されるＡＳＩＣやＦＰＧＡ等であってもよい。また、画像形状変形装置１０は、プリンタ制御装置１００の全体を制御するＣＰＵと、ＡＳＩＣやＦＰＧＡ等とを含む構成であってもよい。この場合、画像形状変形装置１０の一部の構成は、例えば、ＣＰＵとは別のＡＳＩＣやＦＰＧＡ等により構成される。例えば、画像形状変形装置１０における相対曲率生成部１１や画像拡大縮小部１２の上記演算処理を行う部分をＡＳＩＣやＦＰＧＡ等により構成することが考えられる。このように構成すれば、例えば、相対曲率生成部１１や画像拡大縮小部１２の演算処理を適切かつ高速に行うことが可能になる。
【００４９】
まず、相対曲率生成部１１によって、印刷バンドＢごとに周長ＢＬが求められ（Ｓ０１）、印刷バンドにおける基準印刷バンドＢ０が決定されると共に、この基準印刷バンドＢ０の周長が基準周長ＢＬ０として決定される（Ｓ０２）。次に、相対曲率生成部１１によって、基準周長ＢＬ０に対する周長ＢＬを表す相対曲率ＲＣが印刷バンドごとに求められる（Ｓ０３）（図６）。
【００５０】
次に、画像拡大縮小部１２によって、相対曲率ＲＣに基づく拡大縮小率ＥＲが印刷バンドごとに求められ（Ｓ０４）、この拡大縮小率ＥＲに応じて画像が印刷バンドごとに拡大又は縮小される（Ｓ０５）（図７）。
【００５１】
ところで、従来の画像展開手法では、図１１に示すように、例えば半球状のメディア３００の表面を矩形に展開し、その上に矩形画像を対応させる手法であった。そのため、図１２に示すように、矩形の画像を半球状のメディア３００にそのまま印刷すると、見かけ上、画像が歪んでしまう。具体的には、メディア３００の赤道上方（図１２の紙面の表側）に視点をおいた場合に、赤道に沿う画像の下辺が長く、球面の頂上にむけて画像が縮んだ状態に歪んで見える。
【００５２】
しかしながら、本実施形態の画像形状変形装置１０、画像形状変形方法及び画像形状変形プログラムによれば、図１３（ａ）に示すように、メディア３００の相対曲率に応じて、画像を印刷バンドごとに拡大又は縮小する。具体的には、相対曲率が小さいほど画像を拡大し、相対曲率が大きいほど画像を縮小するので、図１３（ｂ）に示すように、矩形画像を三次元形状のメディア３００の表面に印刷した場合に、特定の視点に応じた印刷画像の見かけ上の歪みを低減することができる。
【００５３】
なお、本発明は上記した本実施形態に限定されることなく種々の変形が可能である。例えば、本実施形態は、球状や半球状のメディアに限定されることなく、種々の三次元形状のメディアの印刷に適用可能である。例えば、楕円体状やひょうたん状のメディアであっても、本発明の思想を適用すれば、特定の視点に応じた印刷画像の見かけ上の歪みを低減することができる。
【００５４】
以下では、変形例として、楕円体状の相対曲率の求め方を例示する。図１４に示すような楕円体状のメディアでは、印刷バンドの周長ＢＬは下記式によって求められる。
ＢＬ＝π×√（２（ａ２＋ｂ２））−（ａ−ｂ）２／２．２
ａ：メディアにおける一方の回転半径
ｂ：メディアにおける他方の回転半径
よって、このようにして求めた周長のうちの１つを基準周長ＢＬ０とし、上記したように、基準周長ＢＬ０に対する周長ＢＬを表す相対曲率ＲＣを印刷バンドごとに求め、この相対曲率ＲＣに応じて画像を拡大又は縮小すればよい。
【００５５】
なお、近似値が実際のメディア長以上になることを防止するために、上記式における係数２．２を例えば２．１に変更してもよい。
【００５６】
また、本実施形態では、相対曲率生成部１１は、印刷バンドにおける基準印刷バンドに対応するメディア３００の基準周長であって、当該基準周長に対するメディア３００の周長を表す相対曲率を求めたが、相対曲率生成部１１は、印刷バンドにおける基準印刷バンドに対応する基準曲率１／Ｒ０であって、この基準周長に対する曲率１／Ｒを表す相対曲率を求めてもよい。この場合、画像拡大縮小部１２は、この相対曲率に応じて、相対曲率が大きいほど画像を拡大し、相対曲率が小さいほど画像を縮小することとなる。
【符号の説明】
【００５７】
１０…画像形状変形部（画像形状変形装置）、１１…相対曲率生成部（相対曲率生成手段）、１２…画像拡大縮小部（画像拡大縮小手段）、２０…ＲＩＰ部、３０…三次元座標生成部、４０…ヘッドデータ生成部、５０…データ転送・印刷制御部、１００…プリンタ制御装置、２００…三次元プリンタ、２１０…ヘッド、２２０…支持部、２２１…Ｘ軸方向移動部、２２２…Ｙ軸方向移動部、２２３…Ｚ軸方向移動部、２２４…Ｂ軸回転部、２２５…Ａ軸回転部、３００…メディア。
【図１】
2010152879.tif 000003
【図２】
2010152879.tif 000004
【図３】
2010152879.tif 000005
【図４】
2010152879.tif 000006
【図５】
2010152879.tif 000007
【図６】
2010152879.tif 000008
【図１０】
2010152879.tif 000009
【図１４】
2010152879.tif 000010
【図７】
2010152879.tif 000011
【図８】
2010152879.tif 000012
【図９】
2010152879.tif 000013
【図１１】
2010152879.tif 000014
【図１２】
2010152879.tif 000015
【図１３】
2010152879.tif 000016